(57)【要約】【課題】基体側の係止溝に対する縁材の取り付け作業を容易にでき、しかも、係止溝からの縁材の脱落をより確実に防止することのできる椅子を提供する。【解決手段】縁材２０には、係止溝１５の背板１１の外周縁部寄りの端縁に当接する第１の当接部２４と、縁材２０が張材１３の張力を受けて第１の当接部２４を支点として回動したときに、係止溝１５の背板１１の内側寄りの内側面に当接する第２の当接部２５と、を設ける。縁材２０の係止溝１５内に挿入される領域に嵌合孔２１を設け、係止溝１５の内側寄りの内側面に嵌合孔２１と嵌合可能な突起部２２を設ける。縁材２０の第２の当接部２５側を起立させて係止溝１５内に挿入する。張材１３から張力を受けて縁材２０が回動し、嵌合孔２１に突起部２２が嵌合されることによって係止溝１５からの縁材２０の脱落が防止される。【選択図】図５
2015077341.tif 000002
【特許請求の範囲】
【請求項１】
裏面側に係止溝が設けられた基体と、
該基体の表面と外周縁部にかかる部分を覆い、周縁部が前記基体の外周縁部の裏側に折り返される張材と、
該張材の前記周縁部に取り付けられ、前記基体の裏側で前記係止溝に挿入されて係止される縁材と、を有する荷重支持体を備えた椅子において、
前記縁材は、前記係止溝の前記基体の外周縁部寄りの端縁に当接する第１の当接部と、当該縁材が前記張材の張力を受けて前記第１の当接部を支点として回動して、前記係止溝の前記基体の内側寄りの内側面に当接する第２の当接部と、を有し、
前記縁材と前記基体の間には、前記縁材が前記張材の張力を受けて前記第１の当接部を支点として回動することによって嵌合し、前記縁材の前記係止溝からの抜け方向の変位を規制する嵌合手段が設けられていることを特徴とする椅子。
【請求項２】
前記嵌合手段は、前記係止溝の前記基体の内側寄りの内側面に突設された突起部と、前記縁材の前記係止溝への挿入領域に形成され、前記突起部と嵌合可能な嵌合孔と、を備えてなることを特徴とする請求項１に記載の椅子。
【請求項３】
前記嵌合手段は、前記基体の裏面のうちの前記係止溝の前記基体の外周側の外側位置に設けられた係止凹部と、前記縁材のうちの前記第１の当接部を挟んで前記係止溝への挿入領域と反対側に設けられ、前記係止凹部と嵌合可能な係止突起と、を備えてなることを特徴とする請求項１または２に記載の椅子。
【請求項４】
前記基体の裏側には、当該基体の外周縁部と前記係止溝の前記基体の外側寄りの端縁
を連結する補強壁が設けられ、前記係止凹部は、前記補強壁上に形成されていることを特徴とする請求項３に記載の椅子。
【請求項５】
前記係止溝の端縁は、前記基体の外周縁部よりも当該基体の裏面側に突出していることを特徴とする請求項１〜４のいずれか１項に記載の椅子。
【発明の詳細な説明】
【技術分野】
【０００１】
この発明は、背凭れ部や座体等の荷重支持体の構造を改良した椅子に関するものである。
【背景技術】
【０００２】
事務用等として用いられる椅子の背凭れ部や座体は、通常、骨格部を成す基板の表面側にウレタン等のクッション材が配置され、クッション材の外側面と基板の外周縁部にかかる部分がシート状の張材によって覆われている。
【０００３】
この種の椅子の張材の取り付けに際しては、張材の全域に安定した張力を付与し易いことから、張材の周縁部を基板の裏面側に折り返して内側に引き込み、その周縁部の端末を基板の裏面に係止固定する手法が多く用いられている。このような手法を採用した椅子は、張材自体の張力を生かし、張材の取り付けのための複雑な支持構造を基板に形成する必要がない点で優れている。
また、張材の周縁部の端末を基板の裏面に係止する手段としては、張材の周縁部に剛性を有する縁材を予め取り付けておき、その縁材を、基板の裏面側に形成された係止溝に挿入して係止させるようにしたものが知られている（特許文献１〜３参照）。
【０００４】
特許文献１，２に記載された椅子は、張材の周縁部に取り付けられる縁材に係合突起が形成されるとともに、基板の裏面側の係止溝に、縁材の係合突起と係合される抜け止め部が形成され、張材の周縁部を基板の裏面に取り付ける際に、縁材を基板側の係止溝に嵌合して縁材の係合突起を係止溝側の抜き止め部に係止させるようになっている。
【０００５】
また、特許文献３に記載の椅子は、張材の周縁部に取り付けられる縁材の一端側に、係止溝の一方の側壁部の端部コーナに係止されるフック部が一体に形成されるとともに、縁材の他端側に張材の周縁部が接合され、縁材が他端側を先にして係止溝内に挿入されるようになっている。この椅子の場合、係止溝の幅は縁材の厚みに比較して広くに形成されている。このため、縁材が係止溝内に挿入された状態で張材の張力が縁材の他端に作用すると、縁材の一端のフック部が係止溝の一方の側壁部の端部コーナに係止され、その状態で縁材が当該端部コーナを支点として回動し、縁材の他端が係止溝の他方の側壁の内面に押し当てられて係止される。
【先行技術文献】
【特許文献】
【０００６】
【特許文献１】実公昭６４−００６１５６号公報
【特許文献２】特許第４９６４５０１号公報
【特許文献３】実公昭５４−０３２６４３号公報
【発明の概要】
【発明が解決しようとする課題】
【０００７】
しかし、特許文献１，２に記載の椅子は、係止突起を有する縁材を基板側の幅の狭い係止溝に嵌入して、縁材の係合突起を係止溝側の抜き止め部に係止させる構造とされているため、張材の周縁部を基板の裏側に係止させる際に、張材の大きな張力に抗しつつ縁材を係止溝側の適正位置に嵌入する作業が難しい。このため、作業性の改善が望まれている。
【０００８】
また、特許文献３に記載の椅子は、係止溝の溝幅が縁材の厚みに比較して広く設定されているため、係止溝に対する縁材の挿入作業は行い易くなるものの、係止溝内に挿入された縁材の端部は傾斜状態で係止溝の他方の側壁の内面に押しつけられているだけであるため、係止溝からの縁材の脱落を確実に防止することは難しい。
【０００９】
そこでこの発明は、基体側の係止溝に対する縁材の取り付け作業を容易にでき、しかも、係止溝からの縁材の脱落をより確実に防止することのできる椅子を提供しようとするものである。
【課題を解決するための手段】
【００１０】
この発明に係る椅子では、裏面側に係止溝が設けられた基体と、該基体の表面と外周縁部にかかる部分を覆い、周縁部が前記基体の外周縁部の裏側に折り返される張材と、該張材の前記周縁部に取り付けられ、前記基体の裏側で前記係止溝に挿入されて係止される縁材と、を有する荷重支持体を備えた椅子において、前記縁材は、前記係止溝の前記基体の外周縁部寄りの端縁に当接する第１の当接部と、当該縁材が前記張材の張力を受けて前記第１の当接部を支点として回動して、前記係止溝の前記基体の内側寄りの内側面に当接する第２の当接部と、を有し、前記縁材と前記基体の間には、前記縁材が前記張材の張力を受けて前記第１の当接部を支点として回動することによって嵌合し、前記縁材の前記係止溝からの抜け方向の変位を規制する嵌合手段が設けられていることを特徴とするものである。
この発明の場合、張材の周縁部の縁材を係止溝に取り付ける際には、縁材の第２の当接部側を先にして縁材を係止溝内に挿入する。こうして縁材の第２の当接部側が係止溝内に挿入されると、縁材の第１の当接部が係止溝の端縁に当接し、縁材が張材の張力を受けて第１の当接部を支点として回動する。こうして縁材が回転すると、嵌合手段による嵌合によって係止溝からの縁材の抜け方向の変位が規制される。
【００１１】
前記嵌合手段は、前記係止溝の前記基体の内側寄りの内側面に突設された突起部と、前記縁材の前記係止溝への挿入領域に形成され、前記突起部と嵌合可能な嵌合孔と、を備えた構成としても良い。
この場合、縁材の第２の当接部側が係止溝内に挿入されて当該縁材が第１の当接部を支点として回動すると、係止溝の内側面に突設された突起部に縁材の嵌合孔が嵌合し、その嵌合によって係止溝からの縁材の抜けが規制される。
【００１２】
前記嵌合手段は、前記基体の裏面のうちの前記係止溝の前記基体の外周側の外側位置に設けられた係止凹部と、前記縁材のうちの前記第１の当接部を挟んで前記係止溝への挿入領域と反対側に設けられ、前記係止凹部と嵌合可能な係止突起と、を備えた構成としても良い。
この場合、縁材の第２の当接部側が係止溝内に挿入されて当該縁材が第１の当接部を支点として回動すると、基体の裏面の係止溝から外れた位置に設けられた係止凹部に、縁材の係止突起が嵌合し、その嵌合によって係止溝からの縁材の抜けが規制される。また、こうして係止溝に係止突起が嵌合されると、縁材の基体外周側方向への位置ずれも規制されることになる。
【００１３】
前記基体の裏側には、当該基体の外周縁部と前記係止溝の前記基体の外側寄りの端縁
を連結する補強壁が設けられ、前記係止凹部は、前記補強壁上に形成されることが望ましい。
この場合、係止溝に係止突起が嵌合されることによって基体外周側方向に向く荷重が縁材の係止突起から係止溝に作用するが、係止溝は基体の外周縁部と係止溝の外側寄りの端縁とを連結する補強壁に形成されていることから、基体外周側方向に向く縁材の荷重を補強壁によって確実に受け止めることができる。
【００１４】
前記係止溝の端縁は、前記基体の外周縁部よりも当該基体の裏面側に突出させることが好ましい。
この場合、張材の周縁部を基材の裏面側に引き込むことで基材の外周縁部の前面側のクッション材が押し潰されると、その弾性反力が張材の周縁部の縁材にストレートに作用し易くなる。このため、その弾性反力に起因する張材の張力が縁材に効率良く回転力として付与されるようになる。
【発明の効果】
【００１５】
この発明によれば、係止溝に対する縁材の挿入時に縁材が挿入姿勢のまま嵌合される構造でないことから、基体側の係止溝に対する縁材の取り付け作業を容易に行うことができ、しかも、挿入後に縁材が張材の張力を受けて第１の当接部を支点にして回動したときに、嵌合手段による嵌合によって縁材の抜け方向の変位が規制されるために、係止溝からの縁材の脱落もより確実に防止することができる。
また、この発明によれば、係止溝に対する縁材の取り付け時に、嵌合手段による嵌合によって縁材の抜け方向の変位が規制されるため、縁材が確実に係止溝内に係止されたことを作業者が感触や音で知ることができる。このため、張材の取付作業の確実性をより高めることができる。
【図面の簡単な説明】
【００１６】
【図１】この発明の一実施形態の椅子の側面図である。
【図２】この発明の一実施形態の椅子の背面図である。
【図３】この発明の一実施形態の椅子の背板の背面図である。
【図４】この発明の一実施形態の椅子の背凭れ本体のカバー部材を取り去った背面図である。
【図５】この発明の一実施形態の椅子の背凭れ本体の図４のＶ−Ｖ断面に対応する断面図である。
【発明を実施するための形態】
【００１７】
以下、この発明の一実施形態を図面に基づいて説明する。
なお、以下の説明においては、椅子に正規姿勢で着座した人の正面が向く図中矢印ＦＲの指す向きを「前」と呼び、それと逆側の向きを「後」と呼ぶものとする。また、「上」，「下」と「左」，「右」については、椅子に正規姿勢で着座した人の上方の図中矢印ＵＰの指す向きを「上」、それと逆側の向きを「下」と呼び、椅子に正規姿勢で着座した人の左側の図中矢印ＬＨの指す向きを「左」、それと逆側の向きを「右」と呼ぶものとする。
【００１８】
図１，図２は、この実施形態の椅子１の全体構成を示す側面図と背面図である。
これらの図に示すように、この実施形態の椅子１は、フロアＦ上に載置される脚部２と、脚部２の上端に設置されるボックス状の支基３と、着座者が着座する座体４と、支基３の上面に取り付けられ座体４を支持する座受部材５と、支基３から後部上方側に延出して座体４に着座した着座者の背中を支持する背凭れ部６と、を備えている。
脚部２は、キャスタ７ａ付きの多岐脚７と、多岐脚７の中央部より起立し昇降機構であるガススプリングを内蔵する脚柱８と、を備え、脚柱８の上端部に支基３が水平方向に回転可能に取り付けられている。支基３には、脚柱８の昇降調整機構と背凭れ部６の傾動調整機構が内蔵されている。背凭れ部６は、側面視略Ｌ字状の背凭れ支持フレーム９と、背凭れ支持フレーム９の後上部に取り付けられ座体４に着座した着座者の背部を直接支持する背凭れ本体１０と、を備え、背凭れ支持フレーム９の前部下端が支基３内の傾動調整機構に連結されている。
【００１９】
背凭れ部６の背凭れ本体１０は、骨格部を成す背板１１（基体）と、背板１１の前面から裏面側（後面側）の外周縁部にかかる範囲に配置されるウレタン等から成るクッション材１２（図５参照）と、クッション材１２の外側面と背板１１の外周縁部と裏面（後面）の一部にかかる部分を被覆するシート状の張材１３と、背板１１の裏面側（後面側）を覆うカバー部材１４と、を備えている。この実施形態の場合、クッション材１２は、張材１３の裏面に熱溶着によって一体に接合されている。
また、この実施形態においては、背凭れ部６の背凭れ本体１０が荷重支持体を構成している。
【００２０】
図３は、背板１１を裏面側から見た図であり、図４は、カバー部材１４を取り去った背凭れ本体１０を裏面側から見た図、図５は、図４のＶ−Ｖ断面に対応する断面図である。
背板１１は、弾性を有する合成樹脂によって形成されている。背板１１は、正面視では四隅が丸みを帯びた縦長の略長方形状に形成され、その前面側で着座者の腰部から背部に亘る部位を支持し得るようになっている。背板１１は、高さ方向の下から３分の１程度の高さ位置で着座者の腰部付近を支持し、それよりも上方側の領域で着座者の背部付近を支持する。なお、以下では、背板１１のうちの着座者の腰部付近を支持する領域を「腰部支持領域１１ａ」と呼び、それよりも上方側で着座者の背部付近を支持する領域を「背部支持領域１１ｂ」と呼ぶものとする。
【００２１】
背板１１は、側面視で腰部支持領域１１ａが前方側に凸状に湾曲し、その部分が着座する着座者の腰部に最初に接触する膨出領域を構成している。また、背板１１の前面は、上下方向のほぼ全域の水平断面が後方側に凹状に湾曲する形状とされている。この背板１１の前面の凹形状は上下方向で窪み深さが変化しており、腰部支持領域１１ａの上下方向の中間部付近が最も大きく窪んでいる。また、背板１１の外周縁部は裏面側に向かって湾曲し、特に、上方側の縁部１１ｃは端末部が略水平姿勢に近づくように裏面側（後方側）に向かって大きく湾曲している。
なお、図３，図４中の符号９０は、背板１１の腰部支持領域１１ａの上下方向の略中央位置から背部支持領域１１ｂに跨る領域に、背板１１の柔軟な撓み変形を得るために形成されたスリットがある。
【００２２】
さらに、背板１１の裏面側には、背板１１の外周形状に略沿うように係止溝１５が環状に形成されている。この係止溝１５は、背板１１の裏面に突設された内側壁部１５ａと外側壁部１５ｂによって形成されている。係止溝１５は、背板１１の外周端部から中央領域側に設定距離離間した位置に設けられている。係止溝１５には、後に詳述するように背板１１を被覆した張材１３の周縁部１３ａが挿入されて係止される。
【００２３】
また、背板１１の裏面のうちの、背板１１の左右の側辺と、その側辺に対向する外側壁部１５ｂの間の領域には、背板幅方向に延出して背板１１の側辺と外側壁部１５ｂを連結する複数の補強リブ１７が設けられている。なお、背板１１の水平断面は、腰部支持領域１１ａが最も大きく凹状に窪んでいるため、この凹形状の窪み深さに応じて腰部支持領域１１ａに配置される補強リブ１７の前後方向の突出高さが他の補強リブ１７の突出高さよりも高くなっている。
【００２４】
背板１１の裏面側を覆うカバー部材１４は、背板１１の裏面側に凹凸嵌合等の適宜手段によって固定される。この実施形態の場合、座体４の後方側から上方に立ち上がる背凭れ支持フレーム９の延出部９ａは、カバー部材１４の前面側に締結固定されている。支持フレーム９の延出部９ａの前方側は背板１１によって覆われている。この実施形態では、カバー部材１４は、背凭れ支持フレーム９とともに着座者からの入力荷重を支える強度部材として機能するため、剛性の高い合成樹脂によって形成されている。
なお、カバー部材１４は必ずしも強度部材でなくても良く、その場合には、背板１１を直接背凭れ支持フレーム９に連結すれば良い。
【００２５】
ここで、背板１１の前面と外周縁部を覆う張材１３は、その周縁部１３ａが背板１１の外周縁部で裏面側に折り返され、その状態で周縁部１３ａが背板１１の裏面に係止固定されている。
張材１３は、背板１１よりも一回り大きく裁断され、背板１１の裏面側に折り返される周縁部１３ａの複数箇所には、樹脂製の縁材２０が取り付けられている。縁材２０は、図５に示すように断面略Ｌ字状の板状に形成されている。縁材２０は、係止溝１５内に挿入される挿入片２０ａと、挿入片２０ａの基端から略Ｌ字状に屈曲して延出する外側係止片２０ｂと、を有し、張材１３の周縁部１３ａは、挿入片２０ａと外側係止片２０ｂの連接部の近傍の外側面側に接合されている。この実施形態の場合、張材１３の周縁部１３ａの裏面にはクッション材１２が薄く被着され、その肉薄のクッション材１２部分に縁材２０が接合されている。なお、張材１３と縁材２０の接合態様は、この実施形態の態様に限らず、張材１３の裏面に縁材２０を直接接合するようにしても良い。
【００２６】
縁材２０の挿入片２０ａには、肉厚方向に貫通する嵌合孔２１が形成され、係止溝１５の内側壁部１５ａの内面の開口端の近傍部分には、嵌合孔２１に嵌入可能な断面略直角三角形状の突起部２２が形成されている。この突起部２２の係止溝１５の底部側の面は、内側壁部１５ａの内面に対して略直角を成す方向に延出しており、突起部２２の開口側の面は、係止溝１５の底部側に向かって傾斜している。以下、この面を「傾斜面２２ａ」と呼ぶ。また、縁材２０の外側係止片２０ｂは、基端側の外側面のみが張材１３に接合され、その基端部分よりも先端側が張材１３から離反する方向に変位可能な係止突起２３とされている。
【００２７】
また、縁材２０の挿入片２０ａと外側係止片２０ｂの基端の内側コーナ部分は、係止溝１５の外側壁部１５ｂの突出端（係止溝１５の外側寄りの端縁）に回動可能に当接する第１の当接部２４とされている。なお、外側壁部１５ｂの突出端は、縁材２０の内側コーナ部分を回動可能に支持するために断面円弧状であることが望ましい。また、縁材２０の挿入片２０ａの先端部は、縁材２０が張材１３の張力を受けて第１の当接部２４を支点として回動したときに、係止溝１５の内側壁部１５ａの内面に当接する第２の当接部２５とされている。
【００２８】
ここで、張材１３の周縁部１３ａに取り付けられた各縁材２０は、張材１３の周縁部１３ａを背板１１の裏面側に折り返して内側に引き込んだ状態において、挿入片２０ａが係止溝１５内に挿入されて係止される。
係止溝１５内の縁材２０の挿入される箇所は、図３，図４に示すように、係止溝１５の左右の側辺部のうちの、補強リブ１７に隣接する各箇所と、係止溝１５の上辺部及び下辺部の延出方向に離間した３箇所と、四隅の各角部に対応する箇所とされている。背板１１の各補強リブ１７の端面（背板１１の裏面方向の面）上には、縁材２０の係止突起２３と嵌合可能な係止凹部２６が形成されている。図５に示すように、係止凹部２６は、補強リブ１７の端面のうちの係止溝１５の外側壁部１５ｂとの連接位置から、背板１１の外周端部方向に向かって略三角形状に窪んで形成されている。
なお、この実施形態においては、縁材２０の挿入片２０ａの嵌合孔２１と係止溝１５内の突起部２２、縁材２０の外側係止片２０ｂの係止突起２３と補強リブ１７上の係止凹部２６が、それぞれ縁材２０の係止溝１５からの抜け方向の変位を規制する嵌合手段を構成している。
【００２９】
各縁材２０は、図５中の仮想線で示すように、挿入片２０ａを係止溝１５の外側壁部１５ｂに沿わせるように起立させ、その挿入片２０ａが係止溝１５内に挿入される。このとき、係止溝１５の内側壁部１５ａに突設された突起部２２の開口側に臨む面は、係止溝１５の底部側に傾斜する傾斜面２２ａとされているため、挿入片２０ａは先端部を傾斜面２２ａに沿わせて係止溝１５内に挿入することにより、自然と起立姿勢となるように誘導される。
縁材２０は、こうして挿入片２０ａが係止溝１５内に挿入された後に、張材１３から張力を受けて第１の当接部２４を支点として回動する。これにより、挿入片２０ａの先端側の第２の当接部２５が係止溝１５の内側壁部１５ａの内面に当接するとともに、挿入片２０ａの嵌合孔２１が係止溝１５内の突起部２２に嵌合される。これにより、縁材２０の挿入片２０ａは係止溝１５内に係止されるとともに、嵌合孔２１と突起部２２との嵌合によって係止溝１５からの脱落が防止される。
【００３０】
また、側辺部に位置される係止溝１５においては、挿入片２０ａが係止溝１５に挿入された後に、縁材２０が張材１３から張力を受けて第１の当接部２４を支点として回動すると、外側係止片２０ｂが補強リブ１７上の係止凹部２６内に嵌合される。これにより、縁材２０の背板１１の外周方向の変位が規制されるとともに、係止溝１５からの縁材２０の挿入片２０ａの脱落が防止される。
【００３１】
また、図５に示すように、背板１１の外周縁部には裏面側に向かって膨出する外縁膨出部２７が一体に形成されている。背板１１の外周縁部は、前面から裏面側の外縁膨出部２７にかかる部分が連続した湾曲面をなすように形成されている。なお、縁材２０を係止する係止溝１５の開口側の端縁は外縁膨出部２７よりも背板１１の裏面側に大きく突出している。また、背板１１の左右の側辺部の裏面に形成された前述の補強リブ１７は、その裏面側の端面が、係止溝１５の外側壁部１５ｂの突出端と外縁膨出部２７の裏面側の頂部とを直線状に接続するように突出高さが変化している。
なお、図５において、符号２８は、背板１１の外周縁部でのクッション材１２の滑りを規制するために設けられた凸部である。
【００３２】
実際に、張材１３をクッション材１２とともに背板１１に取り付ける場合には、張材１３をクッション材１２ととも背板１１の前面側に被せ、その状態で張材１３とクッション材１２の周縁部を背板１１の外周縁部の裏側に折り返し、張材１３の周縁部１３ａの端末を内側に引き込んで各縁材２０を前述のようにして係止溝１５の対応個所に係止固定する。
【００３３】
以上のように、この実施形態の椅子１は、張材１３の周縁部１３ａに取り付けられる縁材２０に、係止溝１５の外側壁部１５ｂの突出端に当接する第１の当接部２４と、縁材２０が張材１３の張力を受けて第１の当接部２４を支点として回動したときに、係止溝１５の内側壁部１５ａの内面に当接する第２の当接部２５が設けられるとともに、縁材２０と背板１１の間に、前記の縁材２０の回動時に、相互に嵌合して係止溝１５からの縁材２０の抜け方向の変位を規制する嵌合孔２１と突起部２２や、係止突起２３と係止凹部２６が設けられている。このため、縁材の第２の当接部２５側（挿入片２０ａ）を起立姿勢にするだけで縁材２０を係止溝１５内に容易に挿入することができるうえ、張材１３の張力を受けての縁材２０の回動により、嵌合孔２１と突起部２２や、係止突起２３と係止凹部２６を相互に嵌合させて係止溝１５からの縁材２０の抜けを確実に防止することができる。
さらに、この椅子１の場合、係止溝１５に対する縁部２０の取り付け時に、嵌合孔２１と突起部２２の嵌合や、係止突起２３と係止凹部２６の嵌合によって、縁材２０が確実に係止溝１５内に係止されたことを作業者が感触や音で容易に把握することができる。したがって、張材１３の取付作業をより確実なものとすることができる。
【００３４】
また、この実施形態の椅子１では、縁材２０の係止溝１５からの抜け方向の変位を規制する嵌合手段が、係止溝１５の内側壁部１５ａの内面に突設された突起部２２と、縁材２０の挿入片２０ａに形成されて縁材２０の回動時に突起部２２に嵌合する嵌合孔２１とによって構成されているため、極めて簡単な構成によって係止溝１５からの縁材２０の抜け変位を規制することができる。
【００３５】
特に、この実施形態の場合、突起部２２の係止溝１５の開口に臨む側の面が傾斜面２２ａとされているため、係止溝１５への挿入片２０ａの挿入時に、挿入片２０ａを傾斜面２２ａに沿わせて係止溝１５内に押し込むことにより、張材１３の張力に抗しつつ挿入片２０ａを起立姿勢にして容易に挿入することができる。したがって、背板１１に対する張材１３の周縁部１３ａの取り付け作業をより容易にすることができる。
【００３６】
また、この実施形態の椅子１においては、縁材２０の係止溝１５からの抜け方向の変位を規制する嵌合手段が、背板１１の裏面の係止溝１５よりも外周側に設けられた係止凹部２６と、縁材２０の外側係止片２０ｂに形成されて縁材２０の回動時に係止凹部２６に嵌合する係止突起２３とによっても構成されているため、簡単な構成によって係止溝１５からの縁材２０の抜け変位をさらに確実に規制することができる。さらに、この係止凹部２６と係止突起２３とによる嵌合手段は、縁材２０の背板外周側方向への変位も確実に規制することができる。
さらに、この実施形態の場合、背板１１の左右の側辺部側では内側壁部１５ａの突起部２２と挿入片２０ａの嵌合孔２１とによる嵌合手段と、背板１１の裏面の係止凹部２６と外側係止片２０ｂの係止突起２３とによる嵌合手段が併設されているため、縁材２０が第１の当接部２４を挟んだ一端側と他端側の間の広い範囲で背板１１に安定して支持されるようになる。
【００３７】
また、特に、この実施形態の場合には、背板１１の外周縁部と係止溝１５の外側壁部１５ｂを連結する補強リブ１７の裏面に、縁材２０側の係止突起２３と嵌合する係止凹部２６が形成されているため、縁材２０から背板外周側方向に向く荷重を補強リブ１７によって確実に受け止めることができる。したがって、縁材２０の支持をより強固かつ安定のものとすることができる。
【００３８】
また、この実施形態の椅子１においては、縁材２０を支持する係止溝１５の端縁が背板１１の外周の外縁膨出部２７よりも背板裏面側に大きく突出しているため、張材１３の周縁部１３ａが背板１１の裏面側で内側に引き込まれることによって、背板１１の外周縁部前面側のクッション材１２が強く押し潰されたときに、そのクッション材１２の弾性反力が縁材２０を回動させる方向にストレートに作用し易くなる。したがって、クッション材１２の弾性反力を利用して縁材２０の係止溝１５からの抜けをより確実に規制することが可能になる。
【００３９】
なお、この発明は上記の実施形態に限定されるものではなく、その要旨を逸脱しない範囲で種々の設計変更が可能である。例えば、上記の実施形態は、背凭れ部の背凭れ本体が荷重支持体である実施形態であるが、荷重支持体は座体であっても良い。さらに、基体は必ずしも板状構造のものに限らず、枠状のものであっても良い。
【符号の説明】
【００４０】
１１  背板
１３  張材
１５  係止溝
１７  補強リブ（補強壁）
２０  縁材
２１  嵌合孔（嵌合手段）
２２  突起部（嵌合手段）
２３  係止突起（嵌合手段）
２４  第１の当接部
２５  第２の当接部
２６  係止凹部（嵌合手段）
【図１】
2015077341.tif 000003
【図２】
2015077341.tif 000004
【図３】
2015077341.tif 000005
【図４】
2015077341.tif 000006
【図５】
2015077341.tif 000007